(57)【要約】【課題】索道の搬機の下方に吊り上げワイヤーにより戻しを介して取り付ける吊り下げ金具であって、索道の目的地に搬送した木材を降下して接地し、木材を束ねたワイヤーに掛けたフック柱を倒してフックを外し、搬機を往復させることを目的とする。【解決手段】吊り下げ金具の吊り金具１の下方部に設けたリング３のスライド穴に設けたスライドリング５の接地により、スライドリング５は上方へ移動し、同時にスライドリング５と一体になったフック柱９は上方へ移動し、吊り金具１とフック柱９の係合が離れるようにしたから、吊り下げ金具が着地するとスライドリング５の移動により吊り金具１に係合しているフック柱９のフック１３が自重で倒れて、このフックに掛けてある木材を束ねたワイヤー１５が外れるようになる。降下している木材が着地し、続いて吊り下げ金具が下りてきて接地するまでは前記の係合は保たれているので安全は確保される。【選択図】図４
2005096905.tif 000002
【特許請求の範囲】
【請求項１】
吊り下げ金具本体の吊り金具の上部には、吊り上げワイヤーを締結させるワイヤー締結リングと、下部にはスライド穴を有するリングを設け、この吊り金具下部のリングのスライド穴にスライドリングを通し、このスライドリングを有するフック柱にワイヤー掛けのフックを設け、フック柱の上方部を吊り金具に係合出来るようにした着脱機構を設けたことを特徴とする吊り下げ金具。
【請求項２】
吊り下げ金具本体の吊り金具の上部には、吊り上げワイヤーを締結させるワイヤー締結リングと、下部にはスライド穴を有するリングを設け、このリングのスライド穴にフック柱の下方のスライドリングを通し、このスライドリングを有するフック柱の上方部に係合リングを設け、これに着脱する係合フックを吊り金具の側面に有する着脱機構を設けたことを特徴とする請求項１に記載の吊り下げ金具。
【請求項３】
吊り下げ金具本体の吊り金具の上部には、吊り上げげワイヤーを締結させるワイヤー締結リングと、下部にはスライド穴を有するリングを設け、このリングのスライド穴にスライドリングを通し、このスライドリングを有するフック柱の上方部に係合フックを設け、これを吊り金具の側面に設けた係合リングに着脱できるようにした着脱機構を設けたことを特徴とする請求項１に記載の吊り下げ金具。
【発明の詳細な説明】
【技術分野】
【０００１】
本発明に係る吊り下げ金具は、木材の運搬用に山間部に架設された索道のある木材の搬出地と目的地間のワイヤーに掛けて移送する搬機に垂下して吊り上げワイヤーに取り付けられ、吊り上げられる木材を目的地に安全に便利に搬送するために、木材を束ねるワイヤーにフックを掛けて使用される吊り下げ金具に関するものである。
【背景技術】
【０００２】
従来の場合に、木材の搬出地（出発地）より目的地までワイヤーが架設された索道で、搬機によりワイヤーで吊り下げた木材を目的地に搬送して、それを下ろすための搬機に於いて、木材を束ねるワイヤーに掛けてあるフックは、フックの安全装置としてストッパーを有しているものも、そうでないものもあるが、いづれのフックも自働で、ワイヤーを掛けたり外したりすることは出来ないために出発地とは別に目的地でも人力に頼らざるを得ない。搬機に備えられている吊り上げ用のワイヤーの先端部にそのフックを取り付けて、これに運搬される木材の吊り下げ用のワイヤーを掛けて、ウインチで巻き上げて木材を吊り上げ、出発地と目的地間に張られている架設のワイヤー上の搬機を目的地まで移動させ、搬機の吊り上げ用のワイヤーを緩めて降下させて、フックに掛けたワイヤーを外しているので、出発地と目的地でこれらの作業をするために人手に頼らざるを得ない。
この作業には、索道上の搬機を数往復させるには、出発地と目的地の両方に少なくとも人手を配置すれば安全上も十分であった。
【０００３】
しかし、近時の山間部の労働人口の現象として、過疎化が進み、人手の配置が十分に出来ない場合が生じ、出発地では木材の搬出が出来ても、目的地では吊り下げ用ワイヤーを緩めて、木材が目的地に下ろされて着地しても、フックに掛かったワイヤーはそのままであり、目的地にも人が居てそれを外さなければ、搬機を往復させることができないという欠点があった。
【０００４】
この従来の吊り下げフックは、搬送される木材を巻きつけているワイヤーに掛けたフックを自動的に外すことは出来ないという問題があった。
【０００５】
この改善策として、安全装置付のフックを使用しないことが考えられるが、安全装置付ではなくてもワイヤーに掛けたフックを確実に外すことは事実上難しいことになる。吊り下げ金具は、ワイヤーに巻かれた木材を吊り上げて安全に目的地まで運び、索道上の搬機に木材を吊り上げているワイヤーを緩め木材を下ろして地上に着くまでは絶対にフックは外れないが、木材が着地して安定した状態ではフックが確実に外れる構造であることが望まれる。
【特許文献１】特開昭５５−１６０６５２号公報
【特許文献２】実開昭５５−１０２６６９号公報
【発明の開示】
【発明が解決しようとする課題】
【０００６】
本発明が解決しようとする問題点は、、索道上の搬機で目的地に運ばれた木材が、吊り上げワイヤーを降下させて着地した後、木材を束ねたワイヤーに掛けたフックを外す操作において、吊り下げ金具の着地により自動で上方へスライドリングをスライドさせて、吊り金具とフック柱との係合を外してフックを倒し、木材を束ねているワイヤーに掛けたフックを外す事が出来るようにしようとするものである。
【課題を解決するための手段】
【０００７】
本発明に係る吊り下げ金具は、ワイヤーを降下し木材が着地した後、次いで吊り下げ金具が接地すると同時に吊り下げ金具の自重で吊り金具の下方リングのスライド穴に設けたスライドリングが上方へ移動して、スライドリングを一体に有してスライドしているフック柱は吊り金具との係合が外れてフック柱が倒れ、木材を束ねたワイヤーに掛けてあるフックが外れるようにしたから、搬機より垂下している吊り上げワイヤーを巻き上げて、搬機を往復させることが出来るようにしたことを最も主要な特徴とする。
【発明の効果】
【０００８】
本発明の吊り下げ金具は、吊り金具下方に設けたリングのスライド穴にスライドリングを設けたことにより、このスライドリングの接地により、吊り金具に係合しているフック柱は、スライド穴の遊び間隔内で上方へスライドして移動し、吊り金具とフックの係合が離れるようになる。この結果、フック柱が倒れて木材を吊り上げたワイヤーを掛けたフックが外れるようにした。これにより、本発明の吊り下げ金具を巻き上げてワイヤーに掛けたフックを容易に外せるようにした。従って、本発明の吊り下げ金具は、ワイヤーに掛けたフックを外すことが人手を要しないで外せるようになり、別の人を目的地に配置させなくてもよく、フックを外す操作を要せずに、ワイヤーを巻き上げて搬機を出発地まで戻し往復させることが出来る。
【発明を実施するための最良の形態】
【０００９】
本発明の吊り下げ金具の使用状態を図６に基づいて説明すれば、索道上にある搬機の下方に伸びている吊り上げワイヤーに本発明製品を取り付けて、木材を束ねているワイヤーにフックを掛けて使用される。作用について説明すれば、吊り下げ金具本体の吊り金具下方に設けたリングのスライド穴にスライドリングを設け、スライドリングの接地により、スライド穴の遊び間隔をスライドリングは上方へ移動し、このスライドリングによりフック柱は上方へ移動し、吊り金具とフック柱の係合が離れるようにしたから、木材を吊り上げたワイヤーに掛けた前記フックがフック柱の自重で倒れて、搬機下方の吊り上げワイヤーを巻き上げればワイヤーからフックが外れるようになる。目的地に降下した木材が着地し、それに続いて吊り下げ金具が接地するまでは、前記の係合は保たれているので吊り金具とフック柱との係合は外れる事無く安全は確保される。
【実施例１】
【００１０】
図１〜図４は、本発明に係る吊り下げ金具の実施例１につて図示するものである。１は、吊り金具、２は、吊り上げワイヤーの締結リング、３は、リング、４は、遊び間隔、５は、スライドリング、６は、係合リング、７は、係合フック、８は、係合フックの先端部、９は、フック柱、１０，１１，１２は、それぞれの部位を示す。１３は、フック、１４は、スライド間隔、１５は、木材を束ねているワイヤーをそれぞれ示す。
【００１１】
吊り下げ金具の吊り金具１の上部には、吊り上げワイヤーにより戻し１５を介して締結させるワイヤー締結リング２と、下部にはリング３を設けて、リング３には遊び間隔４を備えるスライド穴を有する。この吊り金具１下部のリング３のスライド穴にスライドリング５を通し、このスライドリング５を有するフック柱９を遊び間隔４上方へ移動させることが出来るようにする。スライドリング５は、スライド間隔４を空けてあり、そのスライドリングをスライド穴に緩やかに取り付けた場合に自在に上下移動させることが出来るようにする。フック柱９の３部位１０．１１．１２のそれぞれ符号は、溶接加工をしても良いし、金型で鋳型を作って、吊り金具やフック柱等の部品を鋳造し、所用の部位は溶接することも出来る。例えば、鋳造した吊り金具１の下方リング３のスライド穴にスライドリング５を取り付ける場合には、材料の金属棒の先端を曲げ加工し、穴に通して湾曲した端部をフック柱９に溶接加工することで両リングを連結して作ることが出来る。又、鋳造加工でフック柱９とスライドリング５を連結した穴に曲げ加工した吊り金具１の先端部を差し込んでリング３を形成し、吊り金具１に先端部を確実に溶接加工しても良い。更にフック柱９の外側部位には、フック１３を設ける。このフック１３にワイヤー１５に吊られた木材の荷重を掛けることになるので、１０，１２の各部位は、スライドリング５とフック柱９、フック１３とフック柱９の連結を強固にし、各部位の連結を確実にして木材の荷重により、それぞれが外れないように十分注意してしっかりと固定する。
フック柱の上方部１１には係合フック７を鋳造若しくは溶接加工して設け、フック柱９の上方部に設けた係合フック７を吊り金具１に設けた係合リング６に着脱できるようにした着脱機構を設ける。
【００１２】
実施例１の着脱機構は、吊り下げ金具の吊り金具１の上部に、吊り下げワイヤーを締結させるワイヤー締結リング２を設け、そして下部にはスライド穴を有するリング３を設け、このリングのスライド穴にスライドリング５を通し、このスライドリングを有するフック柱の上方部に係合フック７を設け、これを吊り金具の側面に設けた係合リング６に着脱できるようにした。吊り下げ金具が着地すると吊り金具１の下方部のリング３のスライド穴に設けたスライドリング５が上方へ移動して、前記の係合リング６に掛けた係合フック７の先端部８は、吊り金具１に固定した係合リング６の上方へ持ち上がり、吊り金具１とフック柱９との係合が外れて、フック柱９が自重で倒れて、木材を束ねているワイヤー１５に掛けたフック１３が外れる状態になる。
【実施例２】
【００１３】
図５は、本発明に係る吊り下げ金具の実施例２について図示するものであって、６ｂは、係合リング、７ｂは、係合フックをそれぞれ表示している。この実施例２は、吊り金具１とフック柱９を係合している係合リング６ｂをフック柱９の上部に設け、係合フック７ｂを吊り金具１に設けたものである。
【００１４】
実施例２の着脱機構は、吊り金具１の上部に吊り上げワイヤーにより戻し１６を介して締結させるワイヤー締結リング２と、下部にはスライド穴を有するリング３を設け、このリングのスライド穴にフック柱の下方に有するスライドリング５を通し、このスライドリングを有するフック柱９の上方部に係合リング６ｂを設け、この係合リングに着脱する係合フック７ｂを吊り金具１の側面に有する着脱機構にしたことを特徴とする。実施例２の着脱機構の作用は、前項００１２に記載の実施例１の着脱機構と同様に作用する。
【産業上の利用可能性】
【００１５】
本発明に係る吊り下げ金具は、製品の使用状態を図６に表示するように、搬機の吊り上げワイヤー下方を吊り下げ金具のワイヤー締結リングに取り付けてある。出発地においては、木材の搬出地に集積された木材に巻きつけたワイヤーを本発明の吊り下げ金具のフックに掛けて、吊り上げワイヤーを巻き上げ、搬機を目的地まで移動させて吊り上げワイヤーを緩めて木材を降下して接地させる。接地と同時に吊り下げ金具も接地して、スライドリングが上方へ移動してフック柱が倒れ、フックがワイヤーから外される状態になる。操作者が索道の搬送装置を操作して機搬を往復させるために出発地と目的地の双方で操作者が必要になるような用途において、出発地のみで操作すれば搬機を往復させることが出来るので、作業者が少なくても本発明の製品を用いて荷物の往復搬出を可能にするように適用することが出来る。
【図面の簡単な説明】
【００１６】
【図１】吊り下げ金具の正面図（実施例１）
【図２】同上側面図（実施例１）
【図３】吊り上げワイヤーにより戻しを介して締結した吊り下げ金具の正面図（実施例１）
【図４】フック柱が倒れる状態を示す吊り下げ金具の斜視図（実施例１）
【図５】吊り下げ金具の斜視図（実施例２）
【図６】索道の搬機下方の吊り上げワイヤーに取り付けた吊り下げ金具の使用状態の斜視図
【符号の説明】
【００１７】
１．．吊り金具
２．．ワイヤー締結リング
３．．下方のリング
４．．スライド穴のスライドリングの遊び間隔
５．． スライドリング
６，６ｂ．．係合リング
７，７ｂ．．係合フック
８．．係合フック先端部
９．．フック柱
１０，１１，１２．．部位
１３．．フック
１４．．  スライドリングのスライド間隔
１５．．木材を束ねて吊り上げるワーヤー
１６．．より戻し
【図１】
2005096905.tif 000003
【図２】
2005096905.tif 000004
【図３】
2005096905.tif 000005
【図４】
2005096905.tif 000006
【図５】
2005096905.tif 000007
【図６】
2005096905.tif 000008